【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
第１のステーションを備える測定プローブと、第２のステーションを備える座標位置決め装置と、を備える測定装置であって、
前記第１のステーションは、スペクトル拡散無線リンクを介して前記第２のステーションと通信し、前記第１のステーションは、第１の電力レベルで前記第２のステーションに信号を送信するように用意され、前記第２のステーションが前記信号を受信しないときまたは適正に受信しないときに、前記信号が前記第１の電力レベルよりも高い第２の電力レベルで前記第１のステーションによって送信され、
前記第１のステーションは、前記測定プローブにて行われる測定イベントに関する情報を送信し、
前記第２のステーションは、測定イベントに関する前記情報を受信して、各測定イベントのための対応する出力信号を発生し、
前記測定プローブにて行われる各測定イベントと、前記第２のステーションにて発生される各測定イベントに対応する前記出力信号と、の間の時間遅延は実質的に一定であり、
前記時間遅延は、当該時間遅延内において前記信号の再送信を可能とするために十分な長さとなるように選択される
ことを特徴とする測定装置。
【請求項２】
前記第１のステーションは、測定イベントに関する前記情報を送信するための通常のモードと、前記第１のステーションがモードを変更すべきか否かを問うための要求信号を前記第１のステーションが定期的に送信する省電力モードと、において動作可能であり、
前記第１のステーションが前記省電力モードにおいて動作するときに、前記第２のステーションは、前記第１のステーションに前記通常のモードに入ることを指示する信号を送信することにより、前記要求信号に応答可能である
ことを特徴とする請求項１に記載の測定装置。
【請求項３】
前記第１のステーションは、前記通常のモードにおける動作時に、前記第１および第２のステーションを同期させるための正則信号を定期的に送信することを特徴とする請求項２に記載の測定装置。
【請求項４】
前記省電力モードにおける前記要求信号の送信の速度は、前記通常のモードにおける正則信号の送信の速度よりも遅いことを特徴とする請求項３に記載の測定装置。
【請求項５】
前記スペクトル拡散無線リンクは、前記第１のステーションが異なる周波数間をホップする周波数ホッピングスペクトル拡散リンクであり、前記省電力モードにおける周波数ホッピング速度は、通常のモードにおける周波数ホッピング速度よりも遅いことを特徴とする請求項２から４のいずれかに記載の測定装置。
【請求項６】
前記第２のステーションによって送信される信号であって、前記第１のステーションに前記通常のモードに入ることを指示する前記信号は肯定信号を含み、前記第２のステーションは、前記要求信号に応答する信号であって、前記第１のステーションに前記省電力モードに保つことを指示する否定信号をも送信可能であることを特徴とする請求項２から５のいずれかに記載の測定装置。
【請求項７】
前記第１のステーションは、スペクトル直接拡散無線リンクを介して前記第２のステーションと通信することを特徴とする請求項１から６のいずれかに記載の測定装置。
【請求項８】
前記測定プローブはタッチトリガプローブを含み、測定イベントに関する前記情報はトリガ信号を含むことを特徴とする請求項１から７のいずれかに記載の測定装置。
【請求項９】
前記第１のステーションはマスタークロックを備え、前記第２のステーションは、前記第１のステーションによって送信される信号から前記マスタークロックを受信することを特徴とする請求項１から８のいずれかに記載の測定装置。
【請求項１０】
前記測定プローブはバッテリを備え、前記測定プローブは前記バッテリから電力を受けることを特徴とする請求項１から９のいずれかに記載の測定装置。
【請求項１１】
前記第１のステーションは識別コードを有し、前記第２のステーションは、前記識別コードを有する前記第１のステーションとのみ通信するように設定可能であることを特徴とする請求項１から１０のいずれかに記載の測定装置。
【請求項１２】
前記第２のステーションは、前記第１のステーションから送信される信号を受信したときに受信確認信号を送信し、前記第１のステーションは、前記第２のステーションから前記受信確認信号を受信したときに前記信号の再送信を止めることを特徴とする請求項１から１１のいずれかに記載の測定装置。
【請求項１３】
前記第１のステーションは、その識別コードを含む信号を送信するモードを備え、前記第２のステーションは、前記信号を受信したときに、前記識別コードを有する前記第１のステーションとのみと通信するように設定されるモードを備えることを特徴とする請求項１から１２のいずれかに記載の測定装置。
【請求項１４】
第１のステーションを備える測定プローブと、第２のステーションを備える座標位置決め装置と、を備える測定装置であって、
前記第１のステーションは、スペクトル拡散無線リンクを介して前記第２のステーションと通信し、
前記第１のステーションは、第１の電力レベルで前記第２のステーションにメッセージを送信するように用意され、
前記第２のステーションが前記メッセージを受信しないときまたは適正に受信しないときに、前記メッセージが前記第１の電力レベルよりも高い第２の電力レベルで前記第１のステーションによって送信され、
測定イベントに関する情報を送信するための通常モード中に、前記第１のステーションは、前記測定プローブにて行われる測定イベントに関する情報を送信し、前記第２のステーションは、測定イベントに関する前記情報を受信して、各測定イベントのための対応する出力信号を発生し、前記測定プローブにて行われる各測定イベントと、前記第２のステーションにて発生される各測定イベントに対応する前記出力信号と、の間の時間遅延は実質的に一定である
ことを特徴とする測定装置。
【請求項１５】
前記時間遅延は、その時間遅延内において前記第１のステーションによって前記情報の再送信を可能とするために十分な長さとなるように選択されることを特徴とする請求項１４に記載の測定装置。
【請求項１６】
前記通常モード中に、
前記第１のステーションにて測定イベントが生じるときに、前記第１のステーションは、前記測定イベントに関する情報を前記第２のステーションに送信するように用意され、前記情報は、前記測定イベントの時間に関するデータを含み、
前記第２のステーションは、前記データに基づいて、前記第２のステーションにて決定される時間遅延の後に測定器出力信号を発生するように用意され、前記測定プローブでの前記測定イベントと、前記第２のステーションにて発生される前記測定器出力信号と、の間の時間は実質的に一定である
ことを特徴とする請求項１４または１５に記載の測定装置。
【請求項１７】
前記通常モード中に、
前記第１のステーションは、タイムスロットｎ，ｎ＋１，ｎ＋２・・・にて前記第２のステーションにメッセージを送信するように用意され、
前記測定イベントが前記タイムスロットｎにて発生したときに、前記第１のステーションは、前記タイムスロットｎ＋１にて、前記測定イベントの前記時間に関するデータを含む測定イベントに関する情報を送信するように用意され、前記データは、前記測定イベントが発生してから前記スロットタイムｎ＋１の開始までの時間ｔ１に関するものであり、
前記第２のステーションは、前記タイムスロットｎ＋２の開始から時間遅延ｔｋ−ｔ１の後に測定器出力信号を発生するように用意され、ｔｋは、１つのタイムスロットの継続時間ｔｓの整数ｍ倍を示す
ことを特徴とする請求項１６に記載の測定装置。
【請求項１８】
前記情報は、前記第１の電力レベルで前記第２のステーションに送信される前記メッセージに含まれ、
ｍは少なくとも２であり、前記第２のステーションが前記第１の電力レベルで前記第１のステーションから送信される前記メッセージを受信しないとき、または適正に受信しないときに、タイムスロットｎ＋２は、前記第２の電力レベルで前記第１のステーションから送信される前記メッセージに使用可能なｎ＋ｍとなる
ことを特徴とする請求項１７に記載の測定装置。